(57)【要約】【課題】  本考案は、コストが掛からない巾が狭く奥行があるパイプの支柱に、その巾よりも十分に太いパイプ材の上手摺りを簡単且つ強固に装着できて安全な使用に供することができる梯子の手摺りの取付け構造の改良に関する。【解決手段】  本考案は、上記課題を解決するために、扁平筒状の一対のチャンネル材で左右一対の支柱を形成し、この支柱間に所定間隔で複数段の踏み桟を掛け渡して梯子を形成し、この支柱の上部に支柱と平行に装着されたブラケットに支柱と平行な略半円溝状の保持溝を施して、パイプ材を曲製して形成された上手摺りの支柱と平行な上側折返し端をこの保持溝に嵌合すると共に、その上側折返し端に樋状の押さえ金具を套着し、これらの押さえ金具、手摺りの上側折返し端、ブラケット及び支柱を重ねてボルトを貫通しナットで螺合した。【選択図】図３
0003128309.tif 000002
【実用新案登録請求の範囲】
【請求項１】
扁平筒状の一対のチャンネル材で左右一対の支柱１、１を形成し、この支柱１、１間に所定間隔で複数段の踏み桟２、２・・・を掛け渡して梯子３を形成し、この支柱１の上部に支柱１と平行に装着されたブラケット４に支柱１と平行で断面が略半円溝状の保持溝５を施し、パイプ材を略Ｃ字状に曲製して形成された上手摺り６の支柱１と平行な上側折返し端６ａをこの保持溝５に嵌合すると共に、その上側折返し端６ａに樋状の押さえ金具７を套着し、これらの押さえ金具７、手摺り６の上側折返し端６ａ、ブラケット４及び支柱１を重ねてボルト８を貫通しナット９で螺合して成る梯子の手摺取付け構造。
【考案の詳細な説明】
【技術分野】
【０００１】
本考案は、ロフト梯子、垂直梯子、引込み梯子等のあらゆる用途に使用可能な梯子の手摺取付け構造の改良に関する。
【背景技術】
【０００２】
従来から梯子は一般に巾に比して奥行が大きな断面形状の支柱に所定の間隔で踏み桟を掛け渡して形成されることが多い。これはコストと、人の体重に耐えられる強度を勘案していることに基づく。そしてパイプ材を用いる場合は、角筒状の支柱の他、長円筒状のパイプが用いられることも多い。角がないと手触りが良く、年寄りや子供がぶつかっても怪我をする惧れがないためである。
【０００３】
そしてロフト等への上り下り用の簡便な梯子の場合には、上端部のみに手摺りが取り付けられることが多く、一般的には円筒パイプ材を曲製した手摺りが採用されるが、手摺りの径が支柱の巾よりも太い場合には支柱の上端に手摺りの一端を挿入保持させることができず、外付けになることが多い。
【０００４】
そのような外付けの場合には、円筒状の手摺りを安定した状態で簡単かつ確実に支柱の外側に装着することが困難であった。
【特許文献１】特開平２００２−２４２５６９号公報
【考案の開示】
【考案が解決しようとする課題】
【０００５】
本考案は、扁平筒状のチャンネル材で形成された支柱に円筒状パイプ製の手摺りを簡単かつ安全に装着することができる梯子の手摺取付け構造を提供するものである。
【課題を解決するための手段】
【０００６】
本考案は、扁平筒状の一対のチャンネル材で左右一対の支柱１、１を形成し、この支柱１、１の長手方向に所定間隔で配置された複数段の踏み桟２、２・・・を掛け渡して梯子３を形成し、この支柱１の上部に支柱１と平行に装着されたブラケット４に支柱１と平行な略半円溝状の保持溝５を施して、パイプ材を曲製して形成された手摺り６の支柱１と平行な上側折返し端６ａをこの保持溝５に嵌合すると共に、その上側折返し端６ａに樋状の押さえ金具７を套着し、これらの押さえ金具７、手摺り６の上側折返し端６ａ、ブラケット４及び支柱１を重ねてボルト８を貫通しナット９で螺合して締結するものである。
【考案の効果】
【０００７】
本考案にあっては上述のように構成したから、  幅が狭く奥行きが深い支柱であっても、その支柱の幅よりも径が太いパイプにより形成した手擦りを支柱の上端部にブラケットを介して取り付けることが出来るものであり、その際、ブラケットには半円溝状の保持部を施してこの保持溝に手擦りを嵌合するので、丸パイプの手擦りの上端部を回転しないように確実に位置決めできて、ぐらつくことなく大きな強度で装着できると共に、納まりが良いので取り付け施工が容易である。
【０００８】
しかも、ブラケットの保持溝は支柱と平行な方向に設定されているから、上手摺りの上側折返し端を十分な長さで保持して取り付けられることになり、大きな荷重のかかる上手摺りの上側部位を確実強固に支柱上端部分に固定できて、安全性の向上を図ることができる。
【考案を実施するための最良の形態】
【０００９】
図はロフト用の梯子３を示すもので、階下床２０と中２階のロフト床２１をとの間に掛けられる梯子３は２本の平行な支柱１、１に適宜間隔で踏み桟２、２・・・を略水平に掛け渡して形成されるもので、梯子の上部には上手摺り６が配設され、中間部にも必要に応じて中手摺り２６が装着される。
【００１０】
ここで支柱１は強度とコストの面から巾に比して奥行を十分に確保して断面が略長円状のアルミパイプ材により形成され、使用時は壁面２３の上部の保持棒２４に支柱１上端部の上フック２５を引っ掛けて壁面２３に斜めに立てかけた梯子３を安定させる。使用しない時は吊フック２７を保持棒２５に保持させて梯子３を壁面２３に近接乃至密接させて階下床２１を広く使えるようにするようにしている。尚、支柱は扁平角筒状でも構わない。
【００１１】
上手摺り６はパイプ材を略Ｃ字状に曲製したもので、上部は略逆Ｕ字状に折り返され、その折り返した端部、即ち、上側折返し端６ａは支柱１と略平行となっており、下端６ｂは支柱１と略垂直に折曲されている。
【００１２】
この上手摺り６はその上側折返し端６ａはブラケット４で、下端６ｂは押さえ金具１５で支柱１に装着される。ブラケット４は中央部に支柱１と平行な半円状の保持溝５を有したもので、支柱１の上端部に配設されるものであるが、好ましくは溶接等で固着しておくのが良い。図３（ａ）で、ａ部分が溶接部分である。上手摺り６の上側折返し端６ａはこの保持溝５に密着するように嵌合され、その外方を更に樋状の押さえ金具７が被せられ、これらにボルト８を挿通してナット９で締結される。
【００１３】
支柱１の上端にはエンドキャップを兼ねた補強ピース１０が圧入されていて、ナット９はこの補強ピース１０内にインサートしておいても良い。１１、１２、１３、１４はそれぞれブラケット４、上側折返し端６ａ、押さえ金具７、補強ピース１０に施された貫通穴で、ボルト８が挿通される。
【００１４】
他方、手摺り６の下端６ｂを支柱１に装着する押さえ金具１５は略半円筒状に形成されたもので、支柱１に溶接される。図３（ｂ）でb部分がその溶接部分である。しかして上手摺り６の下端６ｂは押さえ金具１５に挿入された状態でエンドキャップ２０がその下端６bに圧入される。このエンドキャップ２０にはナット１７がインサートされていて、ボルト１６を押さえ金具１５の挿通穴１８、下端６ｂの挿通穴１９に通し、ナット１７に締付けて保持される。また、踏み桟２はネジ２１で支柱１に装着される。中手摺り２６はネジや上記押さえ金具で支柱１の適所に装着される。
【００１５】
尚、上手摺り６の下端６bの取付けに当たっては、図４のようにナット１７を支柱１の外方に配置し、押さえ金具１５に上手摺り６の下端６ｂを挿入し、ボルト１６をその挿通穴１８、下端６ｂ及び支柱１の挿通穴１９、２２に通し、支柱１にナット１７で締結保持するようにしても良い。この場合、図３ａのように、補強のため、エンドキャップ２０を併用するとができる。
【産業上の利用可能性】
【００１６】
このように上手摺り６が装着された梯子３は、屋根裏や中二階、床下収納庫等任意の上下間を上り下りする梯子として使用に供することができるもので、巾の狭い安価な支柱であっても十分に太い強度のある手摺りを位置決め精度良く簡単に、且つ上側折返し端を十分な長さの保持溝で保持することにより、強固に装着でき、そのため、安全性の向上を達成できる利点がある。
【００１７】
殊に、支柱上端部に圧入された補強ピースを介して支柱を貫通するボルトで上手摺りの上側折返し端を締結保持するようにしておくと、支柱を両側から挟み着けても補強ピースで圧縮強度が補強され、それにより支柱が押し潰されることが阻止され、強固に上手摺りを支柱に装着できて安全な梯子を提供できる。
【図面の簡単な説明】
【００１８】
【図１】本考案の実施の形態を示す使用状態の概略側面図である。
【図２】同収納状態の要部の分解拡大斜視図である。
【図３】同上の要部の拡大断面図で、（ａ）は上手摺りの上側折返し端部分、（ｂ）は下端部分である。
【図４】同上の他の実施例の要部の解斜視図である。
【符号の説明】
【００１９】
１        支柱
２        踏み桟
３        梯子
４        ブラケット
５        保持溝
６        上手摺り
６ａ      上側折返し端
６ｂ      下端
７        押さえ金具
８        ボルト
９        ナット
【図１】
0003128309.tif 000003
【図２】
0003128309.tif 000004
【図３】
0003128309.tif 000005
【図４】
0003128309.tif 000006